【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】
上位装置からのデータを格納する記憶装置と、前記記憶装置を制御する記憶制御装置とからなる記憶システムにおいて、
前記記憶制御装置は、
前記データを一時的に保持するメモリと、
他の記憶システムへ前記データをコピーするデータコピー制御部と、
前記メモリ内に記憶したデータが消失する可能性を認識する認識部とを有し、
前記認識部が、データの消失の可能性を認識すると、前記データコピー制御部へ指示を出すことを特徴とする記憶システム。
【請求項２】
他の記憶システムからのコピーデータを格納する記憶装置と、前記記憶装置を制御する記憶制御装置とからなる記憶システムにおいて、
前記記憶制御装置は、
前記データを一時的に記憶するメモリと、
前記メモリに一時的に記憶するデータの前記記憶装置への格納を前記他の記憶システムと非同期で行うか同期して行なうかを切替える非同期・同期切替部とを有することを特徴とする記憶システム。
【請求項３】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返すステップと、
前記メモリに保持している前記データを、他の記憶システムへコピーするステップと、
前記保持データの消失の可能性を認識するステップと、
前記保持データの消失の可能性を認識したとき、前記上位装置からの書きこみ要求の受け付けを一時的に停止するステップとを有することを特徴とする記憶システムの制御方法。
【請求項４】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返すステップと、
前記メモリに保持している前記データを、他の記憶システムへコピーするステップと、
前記保持データの消失の可能性を認識するステップと、
前記保持データの消失の可能性を認識したとき、前記メモリが保持するデータのうち、前記他の記憶システムへ未コピーのデータをコピーする処理を、前記記憶装置へのデータ格納に優先させて行なうステップとを有することを特徴とする記憶システムの制御方法。
【請求項５】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返し、前記メモリに保持している前記データを、他の記憶システムへコピーするステップと、
前記保持データの消失の可能性を認識するステップと、
前記保持データの消失の可能性を認識後は、前記上位装置から書きこみ要求のあったデータを前記他の記憶システムへコピーしてから前記上位装置へ書きこみ完了報告を返すステップを有することを特徴とする記憶システムの制御方法。
【請求項６】
正側記憶制御装置と、正側記憶装置と、正側メモリを有する正側記憶システムと、副側記憶制御装置と、副側記憶装置と、副側メモリを有する副側記憶システムからなるリモートコピーシステムの制御方法であって、
正側上位装置から書きこみ要求を受け取るステップと、
前記書きこみ要求に関するデータを前記正側メモリに保持するステップと、
前記正側上位装置に書きこみ完了報告を返し、前記正側メモリに保持している前記データを、前記副側記憶システムへコピーするステップと、
前記保持データの消失の可能性を認識するステップと、
前記保持データの消失の可能性を認識後は、前記正側上位装置から書きこみ要求のあったデータを前記副側記憶システムへコピーしてから前記正側上位装置へ書きこみ完了報告を返すステップとを有することを特徴とするリモートコピーシステムの制御方法。
【請求項７】
請求項６記載のリモートコピーシステムの制御方法であって、
前記保持データの消失の可能性を認識後のリモートコピーが、前記正側メモリに、前記副側記憶システムへ未コピーのデータが残っているか検出するステップと、
前記未コピーデータが検出された場合、前記副側記憶システムに送られてくる、前記正側上位装置からの新たな書き込み要求に関するコピーデータを前記副側メモリに保留するステップと、
前記未コピーデータを前記副側記憶システムで全て受領後、前記副側メモリ内のデータを、書き込まれるべき順序を守って前記副側記憶装置に格納するステップとを有することを特徴とするリモートコピーシステムの制御方法。
【請求項８】
請求項６記載のリモートコピーシステムの制御方法であって、
前記保持データの消失の可能性を認識後のリモートコピーにおいて、前記正側メモリに、前記副側記憶システムへ未コピーのデータが残っているか検出するステップと、
前記未コピーデータが検出された場合、前記正側上位装置からの書きこみ要求に関するデータを一時保留指示つきで前記副側記憶システムへコピーし、前記正側上位装置へ書きこみ完了報告を返すステップと、
前記未コピーデータのコピー終了後、前記正側上位装置からの書きこみ要求に関するデータを一時保留終了指示つきで前記副側記憶システムへコピーし、前記正側上位装置へ書きこみ完了報告を返すステップと、
前記副側記憶システムにおいて、前記正側上位装置からの書きこみ要求に関する前記一時保留指示つきのデータと、前記一時保留終了指示つきのデータを前記副側メモリに保持するステップと、
前記副側メモリに保持されたデータを、格納されるべき順序に従って前記副側記憶装置に格納するステップとを有することを特徴とするリモートコピーシステムの制御方法。
【請求項９】
請求項３乃至請求項５のいずれかに記載の記憶システムの制御方法であって、
前記保持データの消失の可能性を認識するステップは、地震計の作動、火災の予兆認識、煙感知器の作動、電圧変動の検出、雷の感知、気象庁からの公共情報の受信、外部からの注意・警告情報の受信のいずれか１つを含むことを特徴とする記憶システムの制御方法。
【請求項１０】
請求項１記載の記憶システムであって、
当該記憶システムが組みをなして動作している場合に、前記保持データの消失の危険を認識後、記憶制御装置同士で通信するための前記記憶制御装置同士を接続する連絡線を有することを特徴とする記憶システム。
【請求項１１】
上位装置からのデータを格納する記憶装置と、前記記憶装置を制御する記憶制御装置とからなる記憶システムにおいて、
前記記憶制御装置は、
前記データを一時的に保持するメモリと、
前記メモリ内に記憶したデータが消失する可能性を認識する認識部とを有することを特徴とする記憶システム。
【請求項１２】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返すステップと、
前記メモリに保持している前記データを、前記記憶装置に格納するステップと、
前記保持データの消失の可能性を認識するステップと、
前記保持データの消失の可能性を認識したとき、前記メモリが保持するデータのうち、前記記憶装置へ未格納のデータを格納する処理を、前記書き込み要求の受け取りに優先させて行なうステップとを有することを特徴とする記憶システムの制御方法。
【請求項１３】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返し、前記メモリに保持している前記データを、前記記憶装置へ格納するステップと、
前記保持データの消失の可能性を認識するステップと、
前記保持データの消失の可能性を認識後は、前記上位装置から書きこみ要求のあったデータを前記記憶装置へ格納してから前記上位装置へ書きこみ完了報告を返すステップとを有することを特徴とする記憶システムの制御方法。
【請求項１４】
記憶制御装置と、記憶装置と、メモリとを有する記憶システムの制御方法であって、
上位装置から書きこみ要求を受け取るステップと、
前記書きこみ要求に関するデータを前記メモリに保持するステップと、
前記上位装置に書きこみ完了報告を返すステップと、
前記メモリに保持している前記データを、他の記憶システムへコピーするステップと、
前記保持データの消失の可能性を認識するステップと、
前記保持データの消失の可能性を認識したとき、前記メモリが保持するデータのうち、前記記憶装置へ未格納のデータを前記記憶装置へ格納する処理を、他の記憶システムへのデータコピー処理よりも優先させて行なうステップとを有することを特徴とする記憶システムの制御方法。